(57)【要約】【課題】  番組の終了を確実に録画することができるデータ記録再生装置を提供する。【解決手段】  データ記録再生装置は、予約録画の実行中に、書込み属性フラグが「０」であるファイル領域への録画を指令するステップ（Ｓ４０６）と、ファイル領域の書込み属性フラグを「１」に変更するステップ（Ｓ４０８）と、次のファイル領域への録画を実行する場合において（Ｓ４１０にてＹＥＳ）、書込み属性フラグが「０」であるファイル領域が存在せず（Ｓ４１２にてＮＯ）、上書き録画モードがＯＮに設定されているときは（Ｓ４１６にてＹＥＳ）、先頭のファイル領域への録画を指令するステップ（Ｓ４１８）とを含む。【選択図】        図４
2005149544.tif 000002
【特許請求の範囲】
【請求項１】
映像音声データを受信するための受信手段と、
利用者が予約録画の設定を入力するための入力手段と、
入力された前記予約録画の設定を記録するための設定記録手段と、
録画の指示に基づいてデータを記録する保存領域を有し、前記映像音声データを前記保存領域に記録するための記録手段と、
前記記録手段にランダムにアクセスして、前記映像音声データの書き込みと読み出しとを実行するための記録再生手段と、
前記保存領域における前記映像音声データの記録の状態を記録するための状態データ記録手段と、
前記予約録画の設定に基づく映像音声データの記録中に、前記記録の状態に基づいて、前記予約録画の設定に応じた映像音声データを記録するために必要な空き領域が前記保存領域に存在するか否かを判断するための判断手段と、
前記判断手段による判断の結果に基づいて、前記記録再生手段を制御するための制御手段とを含み、
前記保存領域は、予め定められた記憶容量を有する複数のデータ記録領域を含み、
前記状態データ記録手段は、各前記データ記録領域ごとに、前記映像音声データが前記データ記録領域に記録されているか否かを表わす記録フラグを記録し、
前記判断手段は、各前記記録フラグのいずれもが各前記データ記録領域に前記映像音声データが記録されていることを表わす場合には、前記空き領域は前記保存領域に存在しないと判断し、
前記制御手段は、前記予約録画の設定により記録が指示された映像音声データの記録中に、前記空き領域が前記保存領域に存在しないと判断されると、前記予約録画の設定に基づいて映像音声データの記録が開始された保存領域の先頭部分以降の前記データ記録領域において、新たに受信される映像音声データを既に記録されている前記映像音声データに上書きするように、前記記録再生手段を制御する、データ記録再生装置。
【請求項２】
映像音声データを受信するための受信手段と、
利用者が予約録画の設定を入力するための入力手段と、
入力された前記予約録画の設定を記録するための設定記録手段と、
録画の指示に基づいてデータを記録する保存領域を有し、前記映像音声データを前記保存領域に記録するための記録手段と、
前記記録手段にランダムにアクセスして、前記映像音声データの書き込みと読み出しとを実行するための記録再生手段と、
前記保存領域における前記映像音声データの記録の状態を記録するための状態データ記録手段と、
前記予約録画の設定に基づく映像音声データの記録中に、前記記録の状態に基づいて、前記予約録画の設定に応じた映像音声データを記録するために必要な空き領域が前記保存領域に存在するか否かを判断するための判断手段と、
前記判断手段による判断の結果に基づいて、前記予約録画の設定により記録が指示された映像音声データが既に記録されている前記保存領域において、新たに受信される映像音声データを既に記録されている前記映像音声データに上書きするように、前記記録再生手段を制御するための制御手段とを含む、データ記録再生装置。
【請求項３】
前記制御手段は、前記空き領域が前記保存領域に存在しない場合には、前記映像音声データが既に記録されている前記保存領域の先頭部分から新たに受信される映像音声データを書き込むように、前記記録再生手段を制御するための書込制御手段とを含む、請求項２に記載のデータ記録再生装置。
【請求項４】
前記保存領域は、予め定められた記憶容量を有する複数のデータ記録領域を含み、
前記状態データ記録手段は、各前記データ記録領域ごとに、前記映像音声データが前記データ記録領域に記録されているか否かを表わす記録フラグを記録し、
前記判断手段は、各前記記録フラグのいずれもが各前記データ記録領域に前記映像音声データが記録されていることを表わす場合には、前記空き領域は前記保存領域に存在しないと判断し、
前記書込制御手段は、前記予約録画の設定により指示された映像音声データの記録中に、前記空き領域が前記保存領域に存在しないと判断されると、前記映像音声データの記録が開始されたデータ記録領域の先頭部分以降のデータ記録領域において、新たに受信される前記映像音声データを既に記録されている映像音声データに上書きするように、前記記録再生手段を制御する、請求項３に記載のデータ記録再生装置。
【請求項５】
前記記録再生手段は、前記映像音声データを圧縮することにより、前記映像音声データを前記記録手段に書き込み、
前記データ記録再生装置はさらに、前記判断手段による判断の結果に基づいて、前記記録再生手段における前記映像音声データの圧縮率を変更するための圧縮率変更手段を含む、請求項１〜３のいずれかに記載のデータ記録再生装置。
【請求項６】
前記圧縮率変更手段は、前記空き領域が前記保存領域に存在しないと判断された場合には、前記予約録画の設定に基づいて映像音声データの記録が開始されたデータ記録領域の先頭部分以降のデータ記録領域への書き込みに対して、前記映像音声データの圧縮率を大きする、請求項５に記載のデータ記録再生装置。
【請求項７】
前記データ記録再生装置はさらに、
前記予約録画の実行中に、前記利用者により入力された指示から、前記領域の先頭部分以降における前記映像音声データの書込みに関する指示を検出するための検出手段と、
前記書込みに関する指示に基づいて、前記領域の先頭部分に対する前記映像音声データの記録を禁止するための禁止手段とを含む、請求項２に記載のデータ記録再生装置。
【請求項８】
前記予約録画のデータは、前記上書き記録の可否を表わす上書き制御データを含み、
前記検出手段は、前記指示から、前記上書き記録の禁止の指示を検出し、
前記禁止手段は、前記禁止の指示が検出されると、前記上書き記録を禁止するように、前記上書き制御データの内容を変更する、請求項７に記載のデータ記録再生装置。
【請求項９】
前記データ記録再生装置はさらに、
前記保存領域に過去に記録された前記映像音声データの再生中に、再生中の前記映像音声データの保護を解除する指示を検出するための解除指示検出手段と、
前記保護を解除する指示に基づいて、前記再生中の前記映像音声データが記録されている記憶領域における新たなデータの記録を許可するための許可手段とを含む、請求項１に記載のデータ記録再生装置。
【請求項１０】
前記許可手段は、前記保護を解除する指示が検出されると、前記再生中の前記映像音声データが記録されている領域の属性を変更することにより前記新たなデータの記録を許可するための属性変更手段を含む、請求項９に記載のデータ記録再生装置。
【請求項１１】
前記属性変更手段は、前記再生中の前記映像音声データが記録されている記憶領域の属性を表わすデータを、データの記録の禁止を表わすデータから記録を許可するデータに変更する、請求項１０に記載のデータ記録再生装置。
【発明の詳細な説明】
【技術分野】
【０００１】
本発明はデータ記録再生装置に関し、特に、受信データの録画時に予め指定された受信時間までデータを記録することができる装置に関する。
【背景技術】
【０００２】
ハードディスクレコーダその他のデータ記録再生装置は、受信された電波等の入力信号をハードディスクその他の記録媒体に記録する。このとき、記録媒体の容量が記録予定のデータ量よりも少ない場合には、入力信号を記録媒体に記録することができない。
【０００３】
そこで、たとえば登録実用新案第３０８９１６５号公報（特許文献１）は、常に適正な記録が可能になるハードディスクレコーダを開示する。このハードディスクレコーダは、残量を検出する残量検出回路と、記憶容量の不足を表示する記憶容量表示回路と、上書き記録の制御を行なう制御回路とを含む。
【０００４】
特許文献１に開示されたハードディスクレコーダによると、制御回路は、予約記録の指令を受けたとき、情報記録エリアへの記録可能時間を算出する。記憶可能容量が予約記録時間に対して不足するときに、この制御回路は、容量不足表示部に、情報記録エリアへの記録容量不足を表示させ、消去の指令が入力されると、その指令に対応するファイルが消去される。このようにすると、ハードディスクの記憶可能な残容量が不足する場合でも、ハードディスクレコーダは、信号を適正に記録することができる。
【特許文献１】登録実用新案第３０８９１６５号公報
【発明の開示】
【発明が解決しようとする課題】
【０００５】
しかしながら、特許文献１に開示されたハードディスレコーダによると、ハードディスクへの記録時には、残容量不足であることは表示部に表示されても、消去可能なファイルが選択されない場合には、記憶済みのデータが消去されない。そのため、ハードディスクの記憶容量が不足する場合には、録画の予約により指定された時刻まで録画することができない場合があった。
【０００６】
本発明は、上述の問題点を解決するためになされたものであって、その目的は、情報記録媒体の記憶容量が不足する場合でも、指定された録画をすることができるデータ記録再生装置を提供することである。
【課題を解決するための手段】
【０００７】
上記の課題を解決するために、この発明のある局面に従うと、データ記録再生装置は、映像音声データを受信するための受信手段と、利用者が予約録画の設定を入力するための入力手段と、入力された予約録画の設定を記録するための設定記録手段と、録画の指示に基づいてデータを記録する保存領域を有し、映像音声データを保存領域に記録するための記録手段と、記録手段にランダムにアクセスして、映像音声データの書き込みと読み出しとを実行するための記録再生手段と、保存領域における映像音声データの記録の状態を記録するための状態データ記録手段と、予約録画の設定に基づく映像音声データの記録中に、記録の状態に基づいて、予約録画の設定に応じた映像音声データを記録するために必要な空き領域が保存領域に存在するか否かを判断するための判断手段と、判断手段による判断の結果に基づいて、記録再生手段を制御するための制御手段とを含む。保存領域は、予め定められた記憶容量を有する複数のデータ記録領域を含む。状態データ記録手段は、各データ記録領域ごとに、映像音声データがデータ記録領域に記録されているか否かを表わす記録フラグを記録する。判断手段は、各記録フラグのいずれもが各データ記録領域に映像音声データが記録されていることを表わす場合には、空き領域は保存領域に存在しないと判断する。制御手段は、予約録画の設定により記録が指示された映像音声データの記録中に、空き領域が保存領域に存在しないと判断されると、予約録画の設定に基づいて映像音声データの記録が開始された保存領域の先頭部分以降のデータ記録領域において、新たに受信される映像音声データを既に記録されている映像音声データに上書きするように、記録再生手段を制御する。
【０００８】
上記の構成を有するデータ記録再生装置によると、判断手段は、データ記録領域における映像音声データの記録の状態に基づいて、予約録画の設定に応じた映像音声データを記録するために必要な空き領域が、その保存領域に存在するか否かを判断する。たとえば、各記録データのいずれもが、各データ記録領域に映像音声データが記録されていることを表わす場合には、判断手段は、空き領域は保存領域に存在しないと判断する。このとき、予約録画の設定に基づいて映像音声データが記録されている時に空き領域がなくなると、記録再生手段は、設定に基づいて映像音声データの記録が開始された保存領域の先頭部分以降のデータ記録領域に、新たに受信される映像音声データを既に記録されている映像音声データに上書きする。このようにすると、新たな映像音声データを記録するための空き領域が保存領域に存在しない場合にも、継続して受信データを記録することができるため、利用者は、予約録画の設定により指定した番組の最後を、少なくとも視聴することができる。これにより、情報記録媒体の容量が不足する場合でも、指定された録画をすることができるデータ記録再生装置を提供することができる。
【０００９】
この発明の他の局面に従うと、データ記録再生装置は、映像音声データを受信するための受信手段と、利用者が予約録画の設定を入力するための入力手段と、入力された予約録画の設定を記録するための設定記録手段と、録画の指示に基づいてデータを記録する保存領域を有し、映像音声データを保存領域に記録するための記録手段と、記録手段にランダムにアクセスして、映像音声データの書き込みと読み出しとを実行するための記録再生手段と、保存領域における映像音声データの記録の状態を記録するための状態データ記録手段と、予約録画の設定に基づく映像音声データの記録中に、記録の状態に基づいて、予約録画の設定に応じた映像音声データを記録するために必要な空き領域が保存領域に存在するか否かを判断するための判断手段と、判断手段による判断の結果に基づいて、予約録画の設定により記録が指示された映像音声データが既に記録されている保存領域において、新たに受信される映像音声データを既に記録されている映像音声データに上書きするように、記録再生手段を制御するための制御手段とを含む。
【００１０】
上記の構成を有するデータ記録再生装置によると、予約録画の設定に基づく映像音声データの記録中に、記録の状態に基づいて、予約録画の設定に応じた映像音声データを記録するために必要な空き領域が保存領域に存在するか否かが判断される。制御手段は、判断手段による判断の結果に基づいて、設定に応じて映像音声データが既に記録されている保存領域に、新たに受信される映像音声データを書き込むように、記録再生手段を制御する。たとえば、判断手段が空き領域は存在しないと判断すると、記録再生手段は、新たに受信される映像音声データを、既存のデータ上に上書きする。したがって、録画が指示された映像音声データを記録するための容量が記録手段（たとえば、ハードディスク装置）に不足している場合でも、そのデータの最後は確実に記録される。その結果、視聴者は、少なくとも、本来は空き領域不足で記録されない映像音声データに対応する番組の部分を、再生して視聴することができる。これにより、情報記録媒体の記録容量が不足する場合でも、指定された録画をすることができるデータ記録再生装置を提供することができる。
【００１１】
好ましくは、制御手段は、空き領域が保存領域に存在しない場合には、映像音声データが既に記録されている保存領域の先頭部分から新たに受信される映像音声データを書き込むように、記録再生手段を制御するための書込制御手段とを含む。
【００１２】
上記の構成を有するデータ記録再生装置によると、空き領域が記録領域に存在しない場合には、新たに受信される映像音声データは、映像音声データが既に記録されている保存領域の先頭部分から上書きされるため、本来は空き領域不足で記録されない映像音声データに対応する番組の部分を、記録することができる。
【００１３】
好ましくは、保存領域は、予め定められた記憶容量を有する複数のデータ記録領域を含む。状態データ記録手段は、各データ記録領域ごとに、映像音声データがデータ記録領域に記録されているか否かを表わす記録フラグを記録する。判断手段は、各記録フラグのいずれもが各データ記録領域に映像音声データが記録されていることを表わす場合には、空き領域は保存領域に存在しないと判断する。書込制御手段は、予約録画の設定により指示された映像音声データの記録中に、空き領域が保存領域に存在しないと判断されると、映像音声データの記録が開始されたデータ記録領域の先頭部分以降のデータ記録領域において、新たに受信される映像音声データを既に記録されている映像音声データに上書きするように、記録再生手段を制御する。
【００１４】
上記の構成を有するデータ記録再生装置によると、各記録データのいずれもが各データ記録領域に映像音声データが記録されていることを表わす場合には、新たに受信される映像音声データは、既に記録されている映像音声データに上書きされる。したがって、利用者は、上書きされた映像音声データ、すなわち、本来は、空き領域がないために記録されない映像音声データにを少なくとも、視聴することができる。
【００１５】
好ましくは、記録再生手段は、映像音声データを圧縮することにより、映像音声データを記録手段に書き込む。データ記録再生装置はさらに、判断手段による判断の結果に基づいて、記録再生手段における映像音声データの圧縮率を変更するための圧縮率変更手段を含む。
【００１６】
上記の構成を有するデータ記録再生装置によると、所定の時間に書き込まれる映像音声データ量を変更することができる。このようにすると、たとえば圧縮率が大きくされた場合には、書き込まれるデータ量が小さくなるため、既に記録されたデータの消去量を削減することができる。
【００１７】
好ましくは、圧縮率変更手段は、空き領域が保存領域に存在しないと判断された場合には、予約録画の設定に基づいて映像音声データの記録が開始されたデータ記録領域の先頭部分以降のデータ記録領域への書き込みに対して、映像音声データの圧縮率を大きくする。
【００１８】
上記の構成を有するデータ記録再生装置によると、空き領域が保存領域に存在しない場合には、書き込まれる映像音声データ量が小さくなるため、既に記録されているデータの消去量を削減することができる。
【００１９】
好ましくは、データ記録再生装置はさらに、予約録画の実行中に、利用者により入力された指示から、領域の先頭部分以降における映像音声データの書込みに関する指示を検出するための検出手段と、書込みに関する指示に基づいて、領域の先頭部分に対する映像音声データの記録を禁止するための禁止手段とを含む。
【００２０】
上記の構成を有するデータ記録再生装置によると、利用者が予約録画の実行中に、上書きを禁止する指示を入力すると、予約録画が不要になった場合に、録画処理をキャンセルすることができる。その結果、既に記録されているデータは、他のデータによる上書きにより消去されなくなる。
【００２１】
好ましくは、予約録画のデータは、上書き記録の可否を表わす上書き制御データを含む。検出手段は、指示から、上書き記録の禁止の指示を検出する。禁止手段は、禁止の指示が検出されると、上書き記録を禁止するように、上書き制御データの内容を変更する。
【００２２】
上記の構成を有するデータ記録再生装置によると、利用者が上書きを禁止する指示を入力することにより、予約録画が不要になった場合に、録画処理をキャンセルすることができる。
【００２３】
好ましくは、データ記録再生装置はさらに、保存領域に過去に記録された映像音声データの再生中に、再生中の映像音声データの保護を解除する指示を検出するための解除指示検出手段と、保護を解除する指示に基づいて、再生中の映像音声データが記録されている記憶領域における新たなデータの記録を許可するための許可手段とを含む。
【００２４】
上記の構成を有するデータ記録再生装置によると、保存領域に過去に記録された映像音声データの再生中に、利用者が、再生中の映像音声データの保護の解除を指示すると、その再生中の映像音声データが記録されている保存領域における新たなデータの記録は可能になる。このとき、たとえばデータの書込みを制御するフラグが変更される。このようにすると、利用者は、映像音声データの内容を視聴しながら確認しつつ、記録手段の保存領域のデータ整理（たとえば、記録済みデータについて、保存の設定、削除可能の設定等）を効率よく行なうことができる。
【００２５】
好ましくは、許可手段は、保護を解除する指示が検出されると、再生中の映像音声データが記録されている領域の属性を変更することにより新たなデータの記録を許可するための属性変更手段を含む。
【００２６】
上記の構成を有するデータ記録再生装置によると、利用者がデータの保護を解除する指示を入力すると、再生中の映像音声データが記録されている領域の属性が変更される。したがって、新たに受信される映像音声データの記録が可能になる。
【００２７】
好ましくは、属性変更手段は、再生中の映像音声データが記録されている記憶領域の属性を表わすデータを、データの記録の禁止を表わすデータから記録を許可するデータに変更する。
【００２８】
上記の構成を有するデータ記録再生装置によると、利用者がデータの保護を解除する指示を入力すると、再生中の映像音声データが記録されている記憶領域の属性を表わすデータは、データの記録の禁止を表わすデータから記録を許可するデータに変更される。これにより、再生中に、記録済みのデータの整理を効率よくすることができる。
【発明の効果】
【００２９】
本発明に係るデータ記録再生装置によると、予約録画の設定に基づいて、録画の実行中に情報記録媒体の記憶容量が不足する場合でも、指定された番組の終了部分を確実に録画することができる。
【発明を実施するための最良の形態】
【００３０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３１】
＜第１の実施の形態＞
図１を参照して、本発明の第１の実施の形態に係るデータ記録再生装置１００について説明する。図１は、データ記録再生装置１００の構成を表わすブロック図である。
【００３２】
このデータ記録再生装置１００は、システム制御回路１１０と、ＯＳＤ（On Screen Display）画像生成回路１１４と、操作部１２２と、受光部１２４と、計時回路１２６と、表示部１２８と、チューナ１３０と、ＭＰＥＧ（Moving Picture Experts Group）エンコーダ１３２と、ハードディスク装置１４０と、ＭＰＥＧデコーダ１４６と、出力部１４８とを含む。システム制御回路１１０はメモリ１１２を含む。ハードディスク装置１４０は、情報記録再生ヘッド１４２と、ハードディスク１４４とを含む。データ記録再生装置１００は、たとえばテレビ１５０に接続される。
【００３３】
アンテナ１９０が受信した信号は、チューナ１３０により検知される。チューナ１３０から出力される信号は、ＭＰＥＧエンコーダ１３２に入力される。ＭＰＥＧエンコーダ１３２は、所定の符号化処理を実行して、入力信号を符号化する。
【００３４】
ＭＰＥＧエンコーダ１３２から出力される信号は、システム制御回路１１０を介してハードディスク装置１４０に入力される。ハードディスク装置１４０の情報記録再生ヘッド１４２は、システム制御回路１１０の制御に基づいて、ハードディスク１４４の所定の記憶領域に入力信号を記録する。このようにして、データ記録再生装置１００は、アンテナ１９０により受信されたテレビ番組を録画する。ハードディスク装置１４０はまた、システム制御回路１１０からの制御信号に基づいて、ハードディスク１４４に記録されているデータを読み出して出力する。
【００３５】
ハードディスク装置１４０から出力される信号は、システム制御回路１１０を介してＭＰＥＧデコーダ１４６に入力される。ＭＰＥＧデコーダ１４６は、予め定められた復号処理を実行して、入力信号を復号化する。
【００３６】
ＭＰＥＧデコーダ１４６から出力される信号は、出力部１４８に入力される。出力部１４８は、ＭＰＥＧデコーダ１４６からの入力信号と、後述するＯＳＤ画像生成回路１１４からの入力信号とを合成して出力する。この出力信号は、データ記録再生装置１００に接続されるテレビ１５０その他の表示装置に入力される。このようにして、データ記録再生装置１００は、ハードディスク装置１４０に既に記録されているデータを再生する。
【００３７】
操作部１２２は、たとえばデータ記録再生装置１００の前面に設けられる操作パネルである。このようなデータ記録再生装置１００において、利用者が所定の指示を入力すると、その指示は操作部１２２により検知される。操作部１２２は、検知した指示をシステム制御回路１１０に出力する。
【００３８】
利用者がリモコン（図示しない）を使用して所定の指示を出力した場合には、その信号は受光部１２４により検知される。受光部１２４は、検知した信号を、システム制御回路１１０に出力する。
【００３９】
表示部１２８は、システム制御回路１１０から出力される信号に基づいて、所定の情報を表示する。この情報には、たとえば受信チャネル、時刻、データ記録再生装置１００の動作モード（たとえば記録モード、録画モード）などが含まれるが、これらに限られない。
【００４０】
なお、データ記録再生装置１００は、上記の構成のように、たとえばＨＤＤ（Hard Disk Drive）レコーダであるが、これに限られない。たとえば、画像データ等の記憶装置としてＨＤＤを備えるＰＣ（Personal Computer）その他のコンピュータであってもよい。この場合、コンピュータの処理は、その動作を制御するソフトウェアをＣＰＵ（Central Processing Unit）により実行させることによっても、実現することができる。
【００４１】
このようなソフトウェアは、予めコンピュータのハードウェアに記憶されている場合もあれば、ＣＤ−ＲＯＭ（Compact Disk - Read Only Memory）その他の記録媒体に格納されて流通し、ディスク駆動装置によりその記録媒体から読み取られて、プログラムを格納するＨＤＤその他の記憶装置に一旦格納される場合もある。そのソフトウェアは、その記憶装置からＲＡＭ（Random Access Memory）その他の主記憶部に読み出されて、ＣＰＵにより実行される。このようなコンピュータの構成は、一般的なものである。したがって、本発明の最も本質的な部分は、ＨＤＤその他の記憶装置、あるいはＣＤ−ＲＯＭその他の記録媒体に記録されたソフトウェアであるともいえる。
【００４２】
なお、このような構成を有するコンピュータの動作自体は周知である。したがって、ここでは、その動作についての詳細な説明は繰り返さない。
【００４３】
図２を参照して、本実施の形態に係るデータ記録再生装置１００におけるデータの格納の態様について説明する。図２（Ａ）は、ハードディスク１４４におけるデータを記憶する領域の構成の一態様を表わす図である。図２（Ｂ）は、ハードディスク１４４に含まれる記憶領域の詳細を表わす図である。
【００４４】
図２（Ａ）に示すように、ハードディスク１４４は、データを記憶する領域として、システム管理領域２００と、タイムシフトバッファ領域２２０と、保存領域２４０とを含む。
【００４５】
システム管理領域２００には、たとえばデータ記録再生装置１００の動作を制御するためのシステム制御データ等が記憶される。このシステム制御データには、利用者により設定された録画予約のデータ（たとえば、録画の開始日時、終了日時、受信チャネル、録画モード等）、あるいは、タイムシフトバッファ領域２２０あるいは保存領域２４０に記憶されるデータの属性等が含まれる。
【００４６】
なお、録画予約は、上記のように、録画の開始日時と終了日時と受信チャネルによって設定される場合に限られない。たとえば、特定のボタンを押下した回数に応じて録画時間が設定されるような予約（いわゆるワンタッチ録画予約等）の方法であってもよい。この場合、そのボタンが押下された時刻から所定時間（たとえば、１５分毎、３０分毎等）が予約録画時間となる。また、そのボタンの押下のときに設定されている受信チャネルが、そのときの録画チャネルとなる。
【００４７】
タイムシフトバッファ領域２２０には、データ記録再生装置１００がチューナ１３０を介して受信した番組のデータが、一時的に記録される。この領域の容量は、たとえば数十ＧＢ（Giga Byte）であるが、タイムシフトバッファ領域２２０の容量は、これに限られない。
【００４８】
保存領域２４０には、利用者の指示によりデータの保存が指示された情報（すなわち、録画データ）が記録される。たとえば、データ記録再生装置１００に対して利用者が録画ボタンを押下した場合、あるいは予め録画予約が設定されている場合には、それらのデータは、保存領域２４０に格納される。
【００４９】
図２（Ｂ）を参照して、システム管理領域２００は、録画データ管理領域２０２と、ファイルデータ管理領域２０４とを含む。
【００５０】
録画データ管理領域２０２には、録画予約のためのデータ（たとえば、録画の開始日時、終了日時、受信チャネル、録画モード等）が格納される。ファイルデータ管理領域２０４には、タイムシフトバッファ領域２２０における各ファイル領域の使用状況を管理するためのデータが格納される。これらのデータの内容は、図３において詳述する。
【００５１】
図３を参照して、ハードディスク１４４のシステム管理領域２００に記録されるデータについて説明する。図３（Ａ）は、システム管理領域２００の中の録画データ管理領域２０２に格納されるデータを表わす。図３（Ｂ）は、システム管理領域２００の中のファイルデータ管理領域２０４に格納されるデータを表わす。
【００５２】
図３（Ａ）に示すように、録画予約の情報は、録画データ管理領域２０２に格納される。たとえば、録画予約番号は、データ領域Ｄ３００に格納される。録画開始日時は、データ領域Ｄ３０２に格納される。録画終了日時は、データ領域Ｄ３０４に格納される。録画チャネルは、データ領域Ｄ３０６に格納される。
【００５３】
録画モードは、録画領域Ｄ３０８に格納される。この録画モードは、保存領域２４０にデータを記憶するときの設定である。この設定には、たとえば標準モード、あるいは長時間録画モードなどが含まれる。
【００５４】
ファイル上書き制御フラグは、データ領域Ｄ３１０に格納される。このフラグの設定が、「ファイル上書き不可」である場合には、データは、このファイル領域に格納されない。そのフラグの設定が、「ファイル上書き可能」である場合には、データは、このファイル領域に格納され得る。
【００５５】
このようにして各領域に格納されるデータは、データ領域Ｄ３００に格納される録画予約番号によって、一意に管理される。この番号は、ユーザによる録画予約の設定に応じて、システム制御回路１１０によって自動的に付与される。
【００５６】
図３（Ａ）を再び参照して、利用者が既に設定した録画予約の後に、さらに録画予約を追加した場合には、追加の予約データが、データ領域Ｄ３２０〜Ｄ３３０に格納される。なお、このような複数の録画予約において、データが格納される態様は、図３（Ａ）に示したものに限られない。
【００５７】
次に、図３（Ｂ）を参照して、保存領域２４０におけるファイル領域の使用状況を表わすデータについて説明する。
【００５８】
図３（Ｂ）に示すように、システム管理領域２００の中のファイルデータ管理領域２０４には、保存領域２４０の各ファイル領域が使用中であるか否かを表わすデータが格納される。ここで、ファイル領域とは、データを記録するために予め形成された区分であって、システム制御回路１１０により管理されるデータ格納領域をいう。データを録画している場合、録画中のファイル領域の容量が一杯になると、システム制御回路１１０は、そのことを検知して、空いているファイル領域に対してデータを記録する。これにより、データ記録再生装置１００は、録画を継続することができる。
【００５９】
たとえば、図３（Ｂ）に示すように、データ領域Ｄ３６０において、データ「１」が格納されている場合には、保存領域２４０におけるファイル領域「９０００」は、使用中であることを表わす。また、データ領域Ｄ３７０において、データ「０」が格納されている場合には、保存領域２４０におけるファイル領域「９００１」は未使用（すなわち、空いている領域）であることを表わす。
【００６０】
図４を参照して、本実施の形態に係るデータ記録再生装置１００の制御構造について説明する。図４は、データ記録再生装置１００のシステム制御回路１１０が実行する録画処理の手順を表わすフローチャートである。この処理は、利用者が録画の予約を設定しておいた場合に実行される。
【００６１】
ステップＳ４０２にて、システム制御回路１１０は、計時回路１２０から入力される信号に基づいて、時刻を検出する。
【００６２】
ステップＳ４０４にて、システム制御回路１１０は、検出した時刻と録画データ管理領域２０２に格納されているデータとに基づいて、現在時刻が録画の開始時刻であるか否かを判断する。現在時刻が録画の開始時刻であると判断した場合には（ステップＳ４０４にてＹＥＳ）、処理はステップＳ４０６に移される。そうでない場合には（ステップＳ４０４にてＮＯ）、処理は終了する。
【００６３】
ステップＳ４０６にて、システム制御回路１１０は、保存領域２４０において書込み属性フラグが「０」であるファイル領域への録画を指令する。これにより、受信された映像音声データが、その領域に書き込まれる。
【００６４】
ステップＳ４０８にて、システム制御回路１１０は、ハードディスク１４４のファイルデータ管理領域２０４において、データが書き込まれているファイル領域の書込み属性フラグを「１」に変更する。
【００６５】
ステップＳ４１０にて、システム制御回路１１０は、次のファイル領域への録画を実行するか否かを判断する。この判断は、たとえば現在の書込が終了した時点でまた録画の指令信号を出力しているか否かに基づいて行なわれる。次のファイル領域への録画を実行すると判断した場合には（ステップＳ４１０にてＹＥＳ）、処理はステップＳ４１２に移される。そうでない場合には（ステップＳ４１０にてＮＯ）、処理は終了する。
【００６６】
ステップＳ４１２にて、システム制御回路１１０は、書込み属性フラグが「０」であるファイル領域が存在するか否かを判断する。この判断は、たとえば、ファイルデータ管理領域２０４に対して、各データ領域に格納されているデータを順次走査することにより行なわれる。たとえば、データの書き込みが可能なファイル領域が存在する場合には、書込み属性フラグが「０」であるデータ領域が検知される。書込み属性フラグが「０」であるファイル領域が存在する場合には（ステップＳ４１２にてＹＥＳ）、処理はステップＳ４１４に移される。そうでない場合には（ステップＳ４１２にてＮＯ）、処理はステップＳ４１６に移される。
【００６７】
ステップＳ４１４にて、システム制御回路１１０は、メモリ１１２の一時作業領域において、ファイル領域の番号を「１」カウントアップする。
【００６８】
ステップＳ４１６にて、システム制御回路１１０は、上書き録画モードがＯＮに設定されているか否かを判断する。この判断は、現在実行中の予約録画のデータが格納されている録画データ管理領域２０２の所定のデータ領域から読み出される値に基づいて行なわれる。上書き録画モードがＯＮに設定されている場合には（ステップＳ４１６にてＹＥＳ）、処理はＳ４１８に移される。そうでない場合には（ステップＳ４１６にてＮＯ）、処理は終了する。
【００６９】
ステップＳ４１８にて、システム制御回路１１０は、予約録画に基づくデータの書き込みが開始された保存領域２４０の先頭のファイル領域への録画を指令する。
【００７０】
ステップＳ４２０にて、システム制御回路１１０は、計時回路１２６から入力される信号に基づいて、現在時刻を検出する。
【００７１】
ステップＳ４２２にて、システム制御回路１１０は、現在の時刻が録画の終了時刻であるか否かを判断する。現在の時刻が録画の終了時刻である場合には（ステップＳ４２２にてＹＥＳ）、処理はステップＳ４３０に移される。そうでない場合には（ステップＳ４２２にてＮＯ）、処理はステップＳ４２４に移される。
【００７２】
ステップＳ４２４にて、システム制御回路１１０は、次の番号を有するファイル領域への録画を指令する。
【００７３】
ステップＳ４３０にて、システム制御回路１１０は、録画の終了を指令する。
【００７４】
以上のような構造およびフローチャートに基づく、本実施の形態に係るデータ記録再生装置１００の動作について説明する。
【００７５】
利用者が予め設定した予約録画の時刻になると（ステップＳ４０４にてＹＥＳ）、保存領域２４０の書込み可能なファイル領域への録画が指令される（ステップＳ４０６）。
【００７６】
録画の予約時間が保存領域２４０の空き領域よりも長い場合には、次のファイル領域への録画を実行すると判断され（ステップＳ４１０にてＹＥＳ）、データの記録をすることができる領域の有無が確認される（ステップＳ４１２）。データの書込み可能な領域が保存領域２４０に存在せず（ステップＳ４１２にてＮＯ）、さらに上書き録画モードがＯＮに設定されている場合には（ステップＳ４１６にてＹＥＳ）、録画予約に基づく受信番組のデータは、録画が開始された保存領域２４０の所定の先頭領域に書き込まれる（ステップＳ４１８）。
【００７７】
その後、録画の終了時刻に到達するまで（ステップＳ４２２にてＮＯ）、保存領域２４０のファイル領域にデータが上書きで記録される（ステップＳ４２４）。その後、予約録画の終了時刻になると（ステップＳ４２２にてＹＥＳ）、データ記録再生装置１００は、予約録画の設定に基づく一連の録画動作を終了する。
【００７８】
以上のようにして、本実施の形態に係るデータ記録再生装置１００によると、予約録画の設定に基づく録画の実行中に、所定の記憶領域の不足が検知されると、先に受信データを記録した領域において、受信データを上書きする。このようにすると、利用者が予約録画を設定した番組の後半は確実に録画されるため、利用者はその番組のエンディング部分を確実に視聴することができる。
【００７９】
＜第２の実施の形態＞
以下、本発明の第２の実施の形態について説明する。本実施の形態に係るデータ記録再生装置１００は、録画予約の設定に基づいてデータを上書きする場合にデータの圧縮率を変更する機能を有する点で、前述の第１の実施の形態と異なる。なお、本実施の形態に係るデータ記録再生装置は、前述の第１の実施の形態に係るデータ記録再生装置１００と同じハードウェア構成を有する。それらについての機能も同じである。したがって、それらについての詳細な説明は、ここでは繰り返さない。
【００８０】
図５を参照して、本実施の形態に係るデータ記録再生装置１００の制御構造について説明する。図５は、データ記録再生装置１００のシステム制御回路１１０が実行する録画処理の手順を表わすフローチャートである。なお、前述の第１の実施の形態と同じ処理には同一のステップ番号を付し、それらについての説明は、ここでは繰り返さない。
【００８１】
ステップＳ５００にて、システム制御回路１１０は、ハードディスク装置１４０への書込み時におけるデータの圧縮率を変更する。この変更では、圧縮率が小さくされる。変更後の圧縮率は、たとえばシステム制御回路１１０のメモリ１１２に予め記憶されている複数の圧縮率から選択されたものである。なお、圧縮率の大きさは、特に限られない。
【００８２】
以上のような構造およびフローチャートに基づく、本実施の形態に係るデータ記録再生装置の動作について説明する。なお、前述の第１の実施の形態の動作と同じ動作の説明は、ここでは繰り返さない。
【００８３】
データ記録再生装置１００が予約録画を実行中に、保存領域２４０におけるデータの記憶容量が不足すると、上書き録画モードがＯＮに設定されている場合には（ステップＳ４１６にてＹＥＳ）、ファイル領域の先頭番号への録画が指令される（ステップＳ４１８）。このとき、ＭＰＥＧエンコーダ１３２から出力される信号をハードディスク１４４に書き込む場合のデータの圧縮率が変更され（ステップＳ５００）、録画が継続される。
【００８４】
以上のようにして、本実施の形態に係るデータ記録再生装置１００によると、予約録画に基づいて上書き録画をする場合には、圧縮率が大きくされるため、データの上書き量が少なくなる。したがって、既に記録されているデータの消去量を少なくすることができる。その結果、データ記録再生装置１００は、記録済みのデータ消去量を抑制しつつ予約録画を最後まで録画することができる。
【００８５】
＜第３の実施の形態＞
以下、本発明の第３の実施の形態について説明する。本実施の形態に係るデータ記録再生装置は、予約録画中に上書き録画モードが変更できる機能を有する点で、前述の各実施の形態に係るデータ記録再生装置１００と異なる。
【００８６】
なお、本実施の形態に係るデータ記録再生装置は、図１に示したデータ記録再生装置１００と同じハードウェア構成を有する。それらの機能も同じである。したがって、それらについての説明はここでは繰り返さない。
【００８７】
図６および図７を参照して、本実施の形態に係るデータ記録再生装置の制御構造について説明する。図６および図７はそれぞれ、本実施の形態に係るデータ記録再生装置１００のシステム制御回路が実行する処理の手順を表わすフローチャートである。なお、前述の各実施の形態における処理と同一の処理には同じステップ番号を付し、それらについての説明は繰り返さない。
【００８８】
ステップＳ７００にて、システム制御回路１１０は、後述する上書き録画モード変更処理を実行する。この処理が実行されると、その予約録画のために与えられた領域において上書きの可否についての設定が変更される。
【００８９】
ステップＳ７０２にて、システム制御回路１１０は、上書き録画モードの設定画面の表示の指示を検知する。この検知は、たとえば利用者がリモコン（図示しない）を操作して所定の上書き録画モードの設定画面の表示を指示した場合に行なわれる。
【００９０】
ステップＳ７０４にて、システム制御回路１１０は、システム管理領域２００から、録画中のファイル領域について設定されているデータを読み出す。
【００９１】
ステップＳ７０６にて、システム制御回路１１０は、読み出したデータの表示指令を出力する。これにより、データ記録再生装置１００に接続されているテレビ１５０には、予約情報が表示される。
【００９２】
ステップＳ７０８にて、システム制御回路１１０は、上書き録画モードがＯＦＦからＯＮに変更されたことを検知する。たとえば、利用者が予約情報の表示画面において所定の操作（たとえばリモコンボタンの押下等）を行なうことにより上書き録画モードの表示をＯＦＦからＯＮに変更した場合に、その変更が検知される。
【００９３】
ステップＳ７１０にて、システム制御回路１１０は、変更された上書き録画モードをシステム管理領域２００の所定のデータ領域に保存する。これにより、上書き録画モードの変更が有効になる。
【００９４】
以上のような構造およびフローチャートに基づく、本実施の形態に係るデータ記録再生装置１００の動作について説明する。なお、前述の各実施の形態に係るデータ記録再生装置の動作と同じ動作の説明は、ここでは繰り返さない。
【００９５】
データ記録再生装置１００が予約録画の実行中に、利用者がリモコンを利用して上書き録画モードの設定変更を開始すると、データ記録再生装置１００はその変更画面の表示の指示を検知する（ステップＳ７０２）。予約データがシステム管理領域２００から読み出され（ステップＳ７０４）、そのデータはテレビ１５０に表示される（ステップＳ７０６）。
【００９６】
利用者が、当初ＯＮに設定されていた上書き録画モードをＯＦＦに変更すると（ステップＳ７０８）、変更されたデータがシステム管理領域２００の録画データ管理領域２０２に格納される。その後、ハードウェア１４４の保存領域２４０において、データを書き込むための領域がなくなると（ステップＳ４１２にてＮＯ）、上書き録画モードはＯＦＦに設定されているため（ステップＳ４１６にてＮＯ）、データ記録再生装置１００は、予約録画を終了する。
【００９７】
この場合、利用者はデータ記録再生装置１００の付近にいるため、予め設定しておいた予約録画情報に基づいて受信番組がデータ記録再生装置１００に記録されなくても、放送中の番組を視聴することができる。また、既に保存領域２４０に記録されているデータは消去されずにそのまま保存される。
【００９８】
以上のようにして、本実施の形態に係るデータ記録再生装置１００によると、予約録画の実行中に、利用者は、上書き録画モードの設定を変更することができる。したがって、たとえば、当初上書き録画モードをＯＮに設定しておいた場合でも、途中でその設定を変更することにより、既に録画済みのデータを残しつつ、受信中の番組を利用者が視聴することができる。またこのように、録画モードの設定を容易に変更することができるため、利用者による誤設定をキャンセルすることができる。
【００９９】
＜第４の実施の形態＞
以下、図８〜図１０を参照して、本発明の第４の実施の形態について説明する。本実施の形態に係るデータ記録再生装置は、過去に録画したデータに対して上書き録画の設定を変更することができる機能を有する点で、前述の各実施の形態に係るデータ記録再生装置と異なる。なお、本実施の形態に係るデータ記録再生装置は、図１に示したデータ記録再生装置１００と同じハードウェア構成を有する。それらについての機能も同じである。したがって、それらについての説明は、ここでは繰り返さない。
【０１００】
図８を参照して、本実施の形態に係るデータ記録再生装置１００に記録されるデータについて説明する。図８（Ａ）および（Ｂ）は、それぞれハードディスク１４４のシステム管理領域２００におけるデータの変更を説明するための図である。
【０１０１】
図８（Ａ）に示すように、システム管理領域２００の録画データ管理領域２０２には、録画予約番号とファイルの上書きが可能であるか否かを表わすフラグとが、それぞれ各データ領域に記録されている。たとえば図８（Ａ）に示すように録画予約番号「０１」に対しては、当初ファイルの上書きは、「不可」と設定されている（データ領域Ｄ３１０におけるフラグ「１」）。
【０１０２】
このような状態において、利用者が所定の操作を行なうことにより、同じ録画予約番号「０１」に対してファイルの上書きを可能とする設定に変更することができる（図８（Ｂ）におけるフラグ「０」）。
【０１０３】
図９を参照して、本実施の形態に係るデータ記録再生装置１００の制御構造について説明する。図９は、再生時に上書き録画モードの変更機能を有するデータ記録再生装置１００のシステム制御回路１１０が実行する処理の手順を表わすフローチャートである。
【０１０４】
ステップＳ１０００にて、システム制御回路１１０は、後述する再生時上書き録画モード変更処理を実行する。この処理が実行されると、システム管理領域２００において上書き録画を可能にするか否かを制御するためのデータが変更される。
【０１０５】
図１０を参照して、本実施の形態に係るデータ記録再生装置１００の制御構造についてさらに説明する。図１０は、システム制御回路１１０が実行する再生時上書き録画モード変更処理の手順を表わすフローチャートである。
【０１０６】
ステップＳ１００２にて、システム制御回路１１０は、過去に録画したデータを再生しているか否かを判断する。この判断はたとえば、現在のデータ記録再生装置１００の動作モードが録画モードであるか再生モードであるかを検知することにより行なわれる。過去に録画したデータの再生中である場合には（ステップＳ１００２にてＹＥＳ）、処理はステップＳ１００４に移される。そうでない場合には（ステップＳ１００２にてＮＯ）、処理は、メイン処理に戻される。
【０１０７】
ステップＳ１００４にて、システム制御回路１１０は、過去に録画したデータに対して、上書き録画ＯＮの設定の入力を検知したか否かを判断する。この判断はたとえば、操作部１２２あるいは受光部１２４から、その設定に応じた信号の入力の有無に基づいて行なわれる。上書き録画ＯＮの設定の入力を検知した場合には（ステップＳ１００４にてＹＥＳ）、処理は、ステップＳ１００６に移される。そうでない場合には（ステップＳ１００４にてＮＯ）、処理は、メイン処理に戻される。
【０１０８】
ステップＳ１００６にて、システム制御回路１１０は、再生中の録画データに対して書込み属性フラグを「０」に変更する。
【０１０９】
以上のような構造およびフローチャートに基づく、本実施の形態に係るデータ記録再生装置１００の動作について説明する。なお、前述の各実施の形態に係るデータ記録再生装置の動作と同じ動作の説明は、ここでは繰り返さない。
【０１１０】
データ記録再生装置１００が録画データを再生しているときに、利用者が所定の操作を実行すると、上書き録画モードの変更が指示されたと検知される（ステップＳ１０００）。利用者が、テレビ１５０に表示された現在の設定に対して上書き録画をＯＮに変更すると（ステップＳ１００４にてＹＥＳ）、変更された設定が、システム管理領域２００に保存される（ステップＳ１００６）。
【０１１１】
その結果、データ記録再生装置１００が次回の予約録画を実行する場合において、録画に必要なデータ領域が保存領域２４０に不足する場合には、録画データは、利用者によって上書きが許可されたファイル領域に書き込まれる。
【０１１２】
以上のようにして、本実施の形態に係るデータ記録再生装置１００によると、利用者は、録画済みデータの再生中に上書き録画モードの設定を変更することができるため、予約録画の実行時にデータ記録領域が不足した場合にも、上書き録画が許可された領域にデータを書き込むことができる。このようにすると、ハードディスク１４４において空き領域が増えるため、データ記録再生装置１００は、将来に必要なファイル領域を増やすことができる。また、利用者は、録画済みデータの内容の確認中（データの再生中）に、そのような上書き録画モードの設定を変更することができるため、ファイルの整理を効率よく実行することができる。
【０１１３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１４】
【図１】本発明の第１の実施の形態に係るデータ記録再生装置の構成を表わすブロック図である。
【図２】図１に示したデータ記録再生装置のハードディスク装置におけるデータ記憶領域を説明するための図である。
【図３】図１に示したデータ記録再生装置のハードディスク装置に記憶されるデータを説明するための図である。
【図４】本発明の第１の実施の形態に係るデータ記録再生装置が実行する処理の手順を表わすフローチャートである。
【図５】本発明の第２の実施の形態に係るデータ記録再生装置が実行する処理の手順を表わすフローチャートである。
【図６】本発明の第３の実施の形態に係るデータ記録再生装置が実行する処理の手順を表わすフローチャート（その１）である。
【図７】本発明の第３の実施の形態に係るデータ記録再生装置が実行する処理の手順を表わすフローチャート（その２）である。
【図８】本発明の第４の実施の形態に係るデータ記録再生装置のハードディスク装置に記憶されるデータを説明するための図である。
【図９】本発明の第４の実施の形態に係るデータ記録再生装置が実行する処理の手順を表わすフローチャート（その１）である。
【図１０】本発明の第４の実施の形態に係るデータ記録再生装置が実行する処理の手順を表わすフローチャート（その２）である。
【符号の説明】
【０１１５】
１００  データ記録再生装置、１１０  システム制御回路、１１２  メモリ、１１４  ＯＳＤ画像生成回路、１２２  操作部、１２４  受光部、１２６  計時回路、１２８  表示部、１３０  チューナ、１３２  ＭＰＥＧエンコーダ、１４０  ハードディスク装置、１４２  情報記録再生ヘッド、１４４  ハードディスク、１４６  ＭＰＥＧデコーダ、１４８  出力部、１５０  テレビ、１９０  アンテナ。
【図１】
2005149544.tif 000003
【図２】
2005149544.tif 000004
【図３】
2005149544.tif 000005
【図４】
2005149544.tif 000006
【図５】
2005149544.tif 000007
【図６】
2005149544.tif 000008
【図７】
2005149544.tif 000009
【図８】
2005149544.tif 000010
【図９】
2005149544.tif 000011
【図１０】
2005149544.tif 000012